(57)【要約】  空気調和機（１）は、室外機（３）と、接点（４ａ）及びリレーコイル（４ｂ）を有するリレー回路（４）と、動作電圧以上の第１電圧又は動作電圧より低くかつ保持電圧以上の第２電圧をリレーコイル（４ｂ）に印加させる制御部（２１）とを有する。接点（４ａ）の二つの端部のうちの一方の端部（４ｐ）は交流電源（１０）に接続されていて、接点（４ａ）の二つの端部のうちの他方の端部（４ｑ）は室外機（３）に接続されている。リレーコイル（４ｂ）の二つの端部のうちの一方の端部（４ｘ）は、リレー回路（４）を駆動させるための電源（１１）に接続されている。制御部（２１）は、接点（４ａ）のオンの開始時に第１電圧をリレーコイル（４ｂ）に印加させ、接点（４ａ）がオンした後に第２電圧をリレーコイル（４ｂ）に印加させると共に、あらかじめ決められた一定の周期で第１電圧をリレーコイル（４ｂ）に印加させる。
2018150521.tif 000002
【特許請求の範囲】
【請求項１】
室外機と、
接点及びリレーコイルを有するリレー回路と、
接点をオンさせるための動作電圧以上の第１電圧又は前記動作電圧より低くかつ接点がオンしている状態を保持させるための保持電圧以上の第２電圧を前記リレーコイルに印加させる制御部とを備え、
前記接点の二つの端部のうちの一方の端部は交流電源に接続されていて、前記接点の二つの端部のうちの他方の端部は前記室外機に接続されており、
前記リレーコイルの二つの端部のうちの一方の端部は、リレー回路を駆動させるための電源に接続されており、
前記制御部は、前記接点のオンの開始時に前記第１電圧を前記リレーコイルに印加させ、前記接点がオンした後に前記第２電圧を前記リレーコイルに印加させると共に、あらかじめ決められた一定の周期で前記第１電圧を前記リレーコイルに印加させる
ことを特徴とする空気調和機。
【請求項２】
室内機と、
室外機と、
接点及びリレーコイルを有するリレー回路と、
接点をオンさせるための動作電圧以上の第１電圧又は前記動作電圧より低くかつ接点がオンしている状態を保持させるための保持電圧以上の第２電圧を前記リレーコイルに印加させる制御部と、
前記室外機に異常が発生した場合に前記室外機に異常が発生したことを検出する異常検出部とを備え、
前記室内機は、前記異常検出部によって前記室外機に異常が発生したことが検出された場合に前記室外機に異常が発生したことを報知する報知部を有し、
前記接点の二つの端部のうちの一方の端部は交流電源に接続されていて、前記接点の二つの端部のうちの他方の端部は前記室外機に接続されており、
前記リレーコイルの二つの端部のうちの一方の端部は、リレー回路を駆動させるための電源に接続されており、
前記制御部は、前記接点のオンの開始時に前記第１電圧を前記リレーコイルに印加させ、前記接点がオンした後に前記第２電圧を前記リレーコイルに印加させると共に、前記異常検出部によって前記異常が発生したことが検出された場合に前記異常が発生したことが検出された時から前記報知部によって前記異常が発生したことが報知される時までに前記第１電圧を前記リレーコイルに印加させる
ことを特徴とする空気調和機。
【請求項３】
室内機と、
室外機と、
接点及びリレーコイルを有するリレー回路と、
接点をオンさせるための動作電圧以上の第１電圧又は前記動作電圧より低くかつ接点がオンしている状態を保持させるための保持電圧以上の第２電圧を前記リレーコイルに印加させる制御部と、
前記室内機と前記室外機との通信に異常が発生した場合に前記通信の異常が発生したことを検出する異常検出部とを備え、
前記接点の二つの端部のうちの一方の端部は交流電源に接続されていて、前記接点の二つの端部のうちの他方の端部は前記室外機に接続されており、
前記リレーコイルの二つの端部のうちの一方の端部は、リレー回路を駆動させるための電源に接続されており、
前記制御部は、前記接点のオンの開始時に前記第１電圧を前記リレーコイルに印加させ、前記接点がオンした後に前記第２電圧を前記リレーコイルに印加させると共に、前記異常検出部によって前記通信の異常が発生したことが検出された場合に前記第１電圧を前記リレーコイルに印加させる
ことを特徴とする空気調和機。
【請求項４】
室外機と、
接点及びリレーコイルを有するリレー回路と、
接点をオンさせるための動作電圧以上の第１電圧又は前記動作電圧より低くかつ接点がオンしている状態を保持させるための保持電圧以上の第２電圧を前記リレーコイルに印加させる制御部と、
前記交流電源の電圧を監視する監視部とを備え、
前記接点の二つの端部のうちの一方の端部は交流電源に接続されていて、前記接点の二つの端部のうちの他方の端部は前記室外機に接続されており、
前記リレーコイルの二つの端部のうちの一方の端部は、リレー回路を駆動させるための電源に接続されており、
前記制御部は、前記接点のオンの開始時に前記第１電圧を前記リレーコイルに印加させ、前記接点がオンした後に前記第２電圧を前記リレーコイルに印加させると共に、前記監視部によって前記交流電源の電圧があらかじめ決められた値より低いことが監視された場合に前記第１電圧を前記リレーコイルに印加させる
ことを特徴とする空気調和機。
【発明の詳細な説明】
【技術分野】
【０００１】
本発明は、空気調和を行う空気調和機に関する。
【背景技術】
【０００２】
電化製品では、リレー回路が他の回路を駆動するために用いられる。空気調和機でも、室外機へ電力を供給する状態と供給しない状態とを切り換えるためにリレー回路が用いられる。従来、リレー回路を低消費電力で駆動すると共にリレー回路の温度が上昇することを抑制するために、接点のオンの開始時に動作電圧以上の直流電圧をリレーコイルに印加し、一定時間が経過した後に動作電圧より低くかつ保持電圧以上の直流電圧をリレーコイルに印加する技術が提案されている（例えば、特許文献１参照）。また、リレーコイルに印加される電圧が保持電圧である場合にアクチュエータが駆動し保持電圧が低下しても接点を遮断させない技術が提案されている（例えば、特許文献２参照）。
【先行技術文献】
【特許文献】
【０００３】
【特許文献１】特開２００４−７２８０６号公報
【特許文献２】特開２０１１−１１３７８１号公報
【発明の概要】
【発明が解決しようとする課題】
【０００４】
しかしながら、上記の従来の技術では、リレーコイルに印加される電圧が保持電圧である場合に交流電源の電圧が例えば瞬時停電で低下したとき、それに応じてリレーコイルに印加される電圧も低下するため、接点が遮断する。接点が遮断すると、ユーザは空気調和機の運転をオフした後に空気調和機の運転をオンする必要がある。【０００５】
本発明は、上記に鑑みてなされたものであって、リレーコイルに印加される電圧が保持電圧である場合に交流電源の電圧が低下して接点が遮断しても、ユーザの操作を必要とすることなく運転を再開することができる空気調和機を得ることを目的とする。
【課題を解決するための手段】
【０００６】
上述した課題を解決し、目的を達成するために、本発明に係る空気調和機は、室外機と、接点及びリレーコイルを含むリレー回路と、接点をオンさせるための動作電圧以上の第１電圧又は前記動作電圧より低くかつ接点がオンしている状態を保持させるための保持電圧以上の第２電圧を前記リレーコイルに印加させる制御部とを有する。前記接点の二つの端部のうちの一方の端部は交流電源に接続されていて、前記接点の二つの端部のうちの他方の端部は前記室外機に接続されている。前記リレーコイルの二つの端部のうちの一方の端部は、リレー回路を駆動させるための電源に接続されている。前記制御部は、前記接点のオンの開始時に前記第１電圧を前記リレーコイルに印加させ、前記接点がオンした後に前記第２電圧を前記リレーコイルに印加させると共に、あらかじめ決められた一定の周期で前記第１電圧を前記リレーコイルに印加させる。
【発明の効果】
【０００７】
本発明に係る空気調和機は、リレーコイルに印加される電圧が保持電圧である場合に交流電源の電圧が低下して接点が遮断しても、ユーザの操作を必要とすることなく運転を再開することができるという効果を奏する。
【図面の簡単な説明】
【０００８】
【図１】実施の形態１に係る空気調和機の構成を示す図
【図２】実施の形態１に係る空気調和機が有する制御部が行う制御を説明するためのタイミングチャート
【図３】実施の形態１に係る空気調和機が有する制御部が行う制御によって得られる効果を説明するための図
【図４】実施の形態１に係る空気調和機が有する制御部、異常検出部及び報知部を構成する少なくとも一部の構成要素が処理回路によって実現される場合の処理回路を示す図
【図５】実施の形態１に係る空気調和機が有する制御部、異常検出部及び報知部の少なくとも一部の機能がプロセッサによって実現される場合のプロセッサを示す図
【図６】実施の形態２に係る空気調和機の構成を示す図
【図７】実施の形態２に係る空気調和機が有する制御部が行う制御を説明するためのタイミングチャート
【発明を実施するための形態】
【０００９】
以下に、本発明の実施の形態に係る空気調和機を図面に基づいて詳細に説明する。なお、この実施の形態によりこの発明が限定されるものではない。
【００１０】
実施の形態１．
図１は、実施の形態１に係る空気調和機１の構成を示す図である。図１に示す通り、空気調和機１は、室内機２と、室外機３と、接点４ａ及びリレーコイル４ｂを含むリレー回路４と、リレー回路４に接続される第１のトランジスタ５と、リレー回路４に接続される抵抗６と、抵抗６に接続される第２のトランジスタ７とを有する。
【００１１】
室内機２は、接点４ａをオンさせるための動作電圧以上の第１電圧又は動作電圧より低くかつ接点４ａがオンしている状態を保持させるための保持電圧以上の第２電圧をリレーコイル４ｂに印加させる制御部２１を有する。第１電圧及び第２電圧は、直流電圧である。制御部２１は、第１のトランジスタ５が接続される第１制御ポート２１Ａと、第２のトランジスタ７が接続される第２制御ポート２１Ｂとを有する。室内機２は、異常検出部２２と報知部２３とを更に有する。
【００１２】
リレー回路４に含まれる接点４ａの二つの端部４ｐ，４ｑのうちの一方の端部４ｐは、交流電源１０に接続される。接点４ａの二つの端部４ｐ，４ｑのうちの他方の端部４ｑは、室外機３に接続される。リレー回路４に含まれるリレーコイル４ｂの二つの端部４ｘ，４ｙのうちの一方の端部４ｘは、リレー回路４を駆動させるための電源１１に接続される。リレー回路４を駆動させるための電源１１の電圧は、交流電源１０の電圧の影響を受ける。リレーコイル４ｂの二つの端部４ｘ，４ｙのうちの他方の端部４ｙは、第１のトランジスタ５と抵抗６とに接続されている。
【００１３】
第１のトランジスタ５のベース５Ｂは制御部２１の第１制御ポート２１Ａに接続されていて、第１のトランジスタ５のエミッタ５Ｅは接地されており、第１のトランジスタ５のコレクタ５Ｃはリレーコイル４ｂの他方の端部４ｙに接続されている。第１のトランジスタ５は、第１電圧がリレーコイル４ｂへ印加される状態であるオンの状態と第１電圧がリレーコイル４ｂへ印加されない状態であるオフの状態とを切り換える。
【００１４】
第２のトランジスタ７のベース７Ｂは制御部２１の第２制御ポート２１Ｂに接続されていて、第２のトランジスタ７のエミッタ７Ｅは接地されており、第２のトランジスタ７のコレクタ７Ｃは抵抗６の二つの端部のうちの一方に接続されている。抵抗６の二つの端部のうちの他方は、リレーコイル４ｂに接続されている。抵抗６は、消費電力を抑制するために、リレーコイル４ｂを流れる電流を制限する。第２のトランジスタ７は、第２電圧がリレーコイル４ｂへ印加される状態であるオンの状態と第２電圧がリレーコイル４ｂへ印加されない状態であるオフの状態とを切り換える。
【００１５】
制御部２１は、接点４ａのオンの開始時に第１電圧をリレーコイル４ｂに印加させ、接点４ａがオンした後に第２電圧をリレーコイル４ｂに印加させる。加えて、制御部２１は、あらかじめ決められた一定の周期で第１電圧をリレーコイル４ｂに印加させる。例えば、制御部２１は、あらかじめ決められた一定の周期で第２電圧ではなく第１電圧をリレーコイル４ｂに印加させる。
【００１６】
次に、制御部２１が行う制御について説明する。図２は、実施の形態１に係る空気調和機１が有する制御部２１が行う制御を説明するためのタイミングチャートである。具体的には、図２は、連続する６個の期間について、リレーコイル４ｂに印加される電圧と、制御部２１の第１制御ポート２１Ａ及び第２制御ポート２１Ｂの各々の状態と、リレーコイル４ｂでの消費電力の大きさとの各々が時間の経過と共に変化する様子を示す。図２では、第１電圧については第１電圧の一例である動作電圧が示されており、第２電圧については第２電圧の一例である保持電圧が示されている。第１制御ポート２１Ａ及び第２制御ポート２１Ｂの各々の状態は、第１制御ポート２１Ａ及び第２制御ポート２１Ｂの各々についてオンである状態とオフである状態とのいずれかである。
【００１７】
第０期間では、第１制御ポート２１Ａ及び第２制御ポート２１Ｂはいずれもオフである。そのため、駆動電圧はリレーコイル４ｂに印加されない。したがって、リレーコイル４ｂは電力を消費しない。接点４ａは、オフである。
【００１８】
第０期間に続く第１期間では、制御部２１は、第１制御ポート２１Ａ及び第２制御ポート２１Ｂの双方をオンにする。第１制御ポート２１Ａがオフからオンになると、第１電圧がリレーコイル４ｂに印加される。そのため、接点４ａはオンし、交流電源１０からの交流電力が室外機３に供給される。第１期間では上述の通り、第２電圧より高い第１電圧がリレーコイル４ｂに印加されるので、リレーコイル４ｂの消費電力は比較的大きい。
【００１９】
第１期間に続く第２期間では、制御部２１は、第１制御ポート２１Ａをオフし、第２制御ポート２１Ｂがオンである状態を維持する。第２制御ポート２１Ｂがオンであるので、第２電圧がリレーコイル４ｂに印加され、接点４ａはオンした状態を維持し、交流電源１０からの交流電力が室外機３に供給される。第２期間では上述の通り、第１電圧より低い第２電圧がリレーコイル４ｂに印加されるので、リレーコイル４ｂの消費電力は比較的小さい。つまり、第２期間でのリレーコイル４ｂの消費電力は、第１期間でのリレーコイル４ｂの消費電力より小さい。
【００２０】
第２期間に続く第３期間では、制御部２１は、上記の第２期間において行った制御を維持する。すなわち、第３期間では、制御部２１は、第１制御ポート２１Ａがオフであって第２制御ポート２１Ｂがオンである状態を維持する。第２制御ポート２１Ｂがオンであるので、第２電圧がリレーコイル４ｂに印加され、接点４ａはオンした状態を維持し、交流電源１０からの交流電力が室外機３に供給される。第３期間では上述の通り、第１電圧より低い第２電圧がリレーコイル４ｂに印加されるので、リレーコイル４ｂの消費電力は比較的小さい。
【００２１】
第３期間に続く第４期間では、制御部２１は、第２制御ポート２１Ｂがオンである状態を維持すると共に、第１制御ポート２１Ａをオンにする。第４期間は、制御部２１があらかじめ決められた一定の周期で第１電圧をリレーコイル４ｂに印加させる期間のひとつである。第１制御ポート２１Ａがオフからオンになると、第２電圧より高い第１電圧がリレーコイル４ｂに印加される。
【００２２】
第１電圧がリレーコイル４ｂに印加されるので、接点４ａはオンした状態を維持し、交流電源１０からの交流電力が室外機３に供給される。第４期間では上述の通り、第２電圧より高い第１電圧がリレーコイル４ｂに印加されるので、リレーコイル４ｂの消費電力は比較的大きい。すなわち、第４期間でのリレーコイル４ｂの消費電力は、第２期間及び第３期間でのリレーコイル４ｂの消費電力より大きい。
【００２３】
第４期間に続く第５期間では、第２期間と同様に、制御部２１は、第１制御ポート２１Ａをオフし、第２制御ポート２１Ｂがオンである状態を維持する。第２制御ポート２１Ｂがオンであるので、第２電圧がリレーコイル４ｂに印加され、接点４ａはオンした状態を維持し、交流電源１０からの交流電力が室外機３に供給される。第５期間では第１電圧より低い第２電圧がリレーコイル４ｂに印加されるので、リレーコイル４ｂの消費電力は比較的小さい。つまり、第５期間でのリレーコイル４ｂの消費電力は、第４期間でのリレーコイル４ｂの消費電力より小さい。
【００２４】
図２を用いて説明した通り、制御部２１は、接点４ａのオンの開始時に第１電圧をリレーコイル４ｂに印加させ、接点４ａがオンした後に第１電圧より低い第２電圧をリレーコイル４ｂに印加させる。加えて、制御部２１は、あらかじめ決められた一定の周期で第１電圧をリレーコイル４ｂに印加させる。
【００２５】
次に、図２を用いて説明した制御部２１が行う制御によって得られる効果について説明する。図３は、実施の形態１に係る空気調和機１が有する制御部２１が行う制御によって得られる効果を説明するための図である。図３の第０期間から第１期間までの状況は、図２の第０期間から第１期間までの状況と同じである。しかしながら、図３では、第２期間において瞬時停電が発生し、第４期間において交流電源１０が復旧したことを仮定する。
【００２６】
第２期間において瞬時停電が発生すると、第３期間において、瞬時停電の影響を受けてリレーコイル４ｂには第２電圧より低い電圧しか印加されなくなる。そのため、接点４ａはオフする。接点４ａがオフした状態が続くと、瞬時停電が復旧しても、交流電源１０からの交流電力は室外機３に供給されず、室外機３の運転は停止し続け、空気調和機１の機能は発揮されない。
【００２７】
しかしながら、図２を用いて説明した通り、第４期間では、制御部２１は、第２制御ポート２１Ｂがオンである状態を維持すると共に、第１制御ポート２１Ａをオンにする。第１制御ポート２１Ａがオフからオンになると、第１電圧がリレーコイル４ｂに印加され、接点４ａはオンし、交流電源１０からの交流電力が室外機３に供給される。室外機３は、交流電源１０からの交流電力が供給されるので運転を再開する。
【００２８】
図２及び図３を用いて説明した通り、制御部２１は、接点４ａのオンの開始時に第１電圧をリレーコイル４ｂに印加させ、接点４ａがオンした後に第１電圧より低い第２電圧をリレーコイル４ｂに印加させる。加えて、制御部２１は、あらかじめ決められた一定の周期で第１電圧をリレーコイル４ｂに印加させる。そのため、たとえ瞬時停電が発生しても、上記の周期の時間内に接点４ａはオンし、交流電源１０からの交流電力が室外機３に供給され、室外機３は運転を再開することができる。すなわち、空気調和機１は、リレーコイル４ｂに印加される電圧が保持電圧である場合に交流電源１０の電圧が低下して接点４ａが遮断しても、ユーザの操作を必要とすることなく運転を再開することができる。
【００２９】
加えて、制御部２１は、接点４ａがオンした後、第１電圧をリレーコイル４ｂに印加させ続けるのではなく、第１電圧より低い第２電圧をリレーコイル４ｂに印加させる。そのため、制御部２１が上述した制御を行う場合のリレーコイル４ｂの消費電力は、第１電圧がリレーコイル４ｂに印加され続ける場合のリレーコイル４ｂの消費電力より小さい。すなわち、空気調和機１は、リレーコイル４ｂの消費電力を抑えることができる。
【００３０】
ところで、室内機２は、上述の通り異常検出部２２及び報知部２３を有する。異常検出部２２は、室外機３に異常が発生した場合に室外機３に異常が発生したことを検出する。報知部２３は、異常検出部２２によって室外機３に異常が発生したことが検出された場合に室外機３に異常が発生したことを報知する。制御部２１は、異常検出部２２によって室外機３に異常が発生したことが検出された場合に異常が発生したことが検出された時から報知部２３によって異常が発生したことが報知される時までに、第２電圧ではなく第１電圧をリレーコイル４ｂに印加させる。異常の一例は、瞬時停電により室外機３への交流電力の供給が途絶えることである。
【００３１】
すなわち、制御部２１は、接点４ａのオンの開始時に第１電圧をリレーコイル４ｂに印加させ、接点４ａがオンした後に第１電圧より低い第２電圧をリレーコイル４ｂに印加させる。加えて、制御部２１は、異常検出部２２によって室外機３に異常が発生したことが検出された場合に異常が発生したことが検出された時から報知部２３によって異常が発生したことが報知される時までに、第１電圧をリレーコイル４ｂに印加させる。例えば、制御部２１は、異常検出部２２によって室外機３に異常が発生したことが検出された場合に異常が発生したことが検出された時から報知部２３によって異常が発生したことが報知される時までに、第２電圧ではなく第１電圧をリレーコイル４ｂに印加させる。
【００３２】
報知部２３は、室外機３に異常が発生した場合、室外機３に異常が発生したことを、室外機３に異常が発生してからすぐに報知しない。報知部２３は、室外機３に発生した異常があらかじめ決められた期間継続したことを確認した後に、室外機３に異常が発生したことを報知する。あらかじめ決められた期間の一例は、３分間である。上述の通り、制御部２１は、異常検出部２２によって室外機３に異常が発生したことが検出された場合に異常が発生したことが検出された時からあらかじめ決められた期間が経過する時までに、第１電圧をリレーコイル４ｂに印加させる。例えば、制御部２１は、異常が発生したことが検出された時から２分３０秒経過後に第１電圧をリレーコイル４ｂに印加させる。
【００３３】
制御部２１が上述の制御を行うことにより、例えば瞬時停電が発生したことにより室外機３に異常が発生しても、報知部２３によって室外機３に異常が発生したことが報知される前に接点４ａはオンし、交流電源１０からの交流電力が室外機３に供給され、室外機３は運転を再開することができる。すなわち、空気調和機１は、リレーコイル４ｂに印加される電圧が保持電圧である場合に室外機３に異常が発生して接点４ａが遮断しても、ユーザの操作を必要とすることなく、かつユーザに当該異常を報知することなく運転を再開することができる。更に言うと、ユーザは、室外機３に異常が発生しても当該異常を意識することなく空気調和機１が有する機能を享受することができる。
【００３４】
異常検出部２２は、室内機２と室外機３との通信に異常が発生した場合に通信の異常が発生したことを検出する機能を更に有する。制御部２１は、異常検出部２２によって通信の異常が発生したことが検出された場合に第１電圧をリレーコイル４ｂに印加させる。すなわち、制御部２１は、接点４ａのオンの開始時に第１電圧をリレーコイル４ｂに印加させ、接点４ａがオンした後に第１電圧より低い第２電圧をリレーコイル４ｂに印加させる。加えて、制御部２１は、異常検出部２２によって通信の異常が発生したことが検出された場合に第１電圧をリレーコイル４ｂに印加させる。例えば、制御部２１は、異常検出部２２によって通信の異常が発生したことが検出された場合に第２電圧ではなく第１電圧をリレーコイル４ｂに印加させる。
【００３５】
例えば瞬時停電が発生して接点４ａがオフすると、室外機３は運転を停止する。室外機３が運転を停止すると、室内機２と室外機３との通信に異常が発生し、異常検出部２２は、室内機２と室外機３との通信に異常が発生したことを検出する。制御部２１は、異常検出部２２によって通信の異常が発生したことが検出された場合、第１電圧をリレーコイル４ｂに印加させる。
【００３６】
制御部２１が上述の制御を行うことにより、例えば瞬時停電が発生したことにより室内機２と室外機３との通信に異常が発生しても、異常検出部２２によって通信の異常が発生したことが検出された場合に第１電圧がリレーコイル４ｂに印加され、接点４ａはオンし、交流電源１０からの交流電力が室外機３に供給され、室外機３は運転を再開する。すなわち、空気調和機１は、リレーコイル４ｂに印加される電圧が保持電圧である場合に室内機２と室外機３との通信に異常が発生して接点４ａが遮断しても、ユーザの操作を必要とすることなく、かつユーザに当該異常を意識させることなく運転を再開することができる。
【００３７】
制御部２１及び異常検出部２２の一方又は双方は、室内機２の外部に設けられてもよい。
【００３８】
図４は、実施の形態１に係る空気調和機１が有する制御部２１、異常検出部２２及び報知部２３を構成する少なくとも一部の構成要素が処理回路４１によって実現される場合の処理回路４１を示す図である。つまり、制御部２１、異常検出部２２及び報知部２３の機能の少なくとも一部は、処理回路４１によって実現されてもよい。
【００３９】
処理回路４１は、専用のハードウェアである。処理回路４１は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。制御部２１、異常検出部２２及び報知部２３の一部は、残部とは別個の専用のハードウェアであってもよい。
【００４０】
図５は、実施の形態１に係る空気調和機１が有する制御部２１、異常検出部２２及び報知部２３の少なくとも一部の機能がプロセッサ５２によって実現される場合のプロセッサ５２を示す図である。つまり、制御部２１、異常検出部２２及び報知部２３の少なくとも一部の機能は、メモリ５１に格納されるプログラムを実行するプロセッサ５２によって実現されてもよい。プロセッサ５２は、ＣＰＵ（Central  Processing  Unit）、処理装置、演算装置、マイクロプロセッサ、マイクロコンピュータ、又はＤＳＰ（Digital  Signal  Processor）である。図５には、メモリ５１も示されている。
【００４１】
制御部２１、異常検出部２２及び報知部２３の少なくとも一部の機能がプロセッサ５２によって実現される場合、当該一部の機能は、プロセッサ５２と、ソフトウェア、ファームウェア、又はソフトウェアとファームウェアとの組み合わせにより実現される。ソフトウェア又はファームウェアはプログラムとして記述され、メモリ５１に格納される。プロセッサ５２は、メモリ５１に記憶されたプログラムを読み出して実行することにより、制御部２１、異常検出部２２及び報知部２３の少なくとも一部の機能を実現する。
【００４２】
すなわち、制御部２１、異常検出部２２及び報知部２３の少なくとも一部の機能がプロセッサ５２によって実現される場合、空気調和機１は、制御部２１、異常検出部２２及び報知部２３の少なくとも一部によって実行されるステップが結果的に実行されることになるプログラムを格納するためのメモリ５１を有する。メモリ５１に格納されるプログラムは、制御部２１、異常検出部２２及び報知部２３の少なくとも一部が実行する手順又は方法をコンピュータに実行させるものであるともいえる。
【００４３】
メモリ５１は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００４４】
制御部２１、異常検出部２２及び報知部２３の複数の機能について、当該複数の機能の一部を専用のハードウェアで実現し、当該複数の機能の残部をソフトウェア又はファームウェアで実現してもよい。このように、制御部２１、異常検出部２２及び報知部２３の複数の機能は、ハードウェア、ソフトウェア、ファームウェア、又はこれらの組み合わせによって実現することができる。
【００４５】
実施の形態２．
図６は、実施の形態２に係る空気調和機１Ａの構成を示す図である。図６と図１とを対比すると明らかな通り、空気調和機１Ａは、室内機２の代わりに、交流電源１０の電圧を監視する監視部２４を含む室内機２Ａを有する。監視部２４は、例えば、交流電源１０からの交流電力を直流電力に変換して抵抗で分圧することにより交流電源１０の電圧を監視する。
【００４６】
室内機２Ａは、室内機２に含まれる制御部２１の代わりに、制御部２１Ｃを有する。制御部２１Ｃは、第１制御ポート２１Ａ及び第２制御ポート２１Ｂを有する。空気調和機１Ａは、実施の形態１の空気調和機１が有する室外機３、リレー回路４、第１のトランジスタ５、抵抗６及び第２のトランジスタ７を更に有する。制御部２１Ｃは、接点４ａのオンの開始時に第１電圧をリレーコイル４ｂに印加させ、接点４ａがオンした後に第２電圧をリレーコイル４ｂに印加させる。加えて、制御部２１Ｃは、監視部２４によって交流電源１０の電圧があらかじめ決められた値より低いことが監視された場合に第１電圧をリレーコイル４ｂに印加させる。
【００４７】
次に、制御部２１Ｃが行う制御について説明する。図７は、実施の形態２に係る空気調和機１Ａが有する制御部２１Ｃが行う制御を説明するためのタイミングチャートである。具体的には、図７は、連続する７個の期間について、リレーコイル４ｂに印加される電圧と、制御部２１Ｃの第１制御ポート２１Ａ及び第２制御ポート２１Ｂの各々の状態と、リレーコイル４ｂでの消費電力の大きさとの各々が時間の経過と共に変化する様子を示す。図７では、第１電圧については第１電圧の一例である動作電圧が示されており、第２電圧については第２電圧の一例である保持電圧が示されている。第１制御ポート２１Ａ及び第２制御ポート２１Ｂの各々の状態は、第１制御ポート２１Ａ及び第２制御ポート２１Ｂの各々についてオンである状態とオフである状態とのいずれかである。
【００４８】
図７と図２とを対比すると明らかな通り、図７の第０期間から第２期間までの状況は、図２の第０期間から第２期間までの状況と同じである。図７では、第３期間において、交流電源１０の電圧があらかじめ決められた値より低くなり、第５期間において、交流電源１０の電圧があらかじめ決められた値以上になる場合を仮定する。図７では、第３期間において、交流電源１０の電圧があらかじめ決められた値より低くなることを「交流電圧低下」という用語で示されている。同様に、第５期間において、交流電源１０の電圧があらかじめ決められた値以上になることを「交流電圧復帰」という用語で示されている。上述の場合、監視部２４は、第３期間において、交流電源１０の電圧があらかじめ決められた値より低いことを監視する。加えて、監視部２４は、第５期間において、交流電源１０の電圧があらかじめ決められた値以上であることを監視する。
【００４９】
交流電源１０の電圧があらかじめ決められた値より低くなると、第４期間において、リレーコイル４ｂには第２電圧より低い電圧しか印加されなくなる。そのため、接点４ａはオフする。接点４ａがオフすると、交流電源１０からの交流電力は室外機３に供給されず、室外機３の運転は停止する。
【００５０】
第５期間において、交流電源１０の電圧があらかじめ決められた値以上であることが監視部２４によって監視されるので、制御部２１Ｃは、第２制御ポート２１Ｂがオンである状態を維持すると共に、第１制御ポート２１Ａをオンにする。第１制御ポート２１Ａがオフからオンになると、第１電圧がリレーコイル４ｂに印加され、接点４ａはオンする。交流電源１０から室外機３への交流電力の供給は再開され、室外機３は運転を再開する。
【００５１】
第６期間において、制御部２１Ｃは、第２制御ポート２１Ｂがオンである状態を維持すると共に、第１制御ポート２１Ａをオフする。制御部２１Ｃが第１制御ポート２１Ａをオフすることによりリレーコイル４ｂの消費電力は低減する。
【００５２】
上述の通り、制御部２１Ｃは、接点４ａのオンの開始時に第１電圧をリレーコイル４ｂに印加させ、接点４ａがオンした後に第２電圧をリレーコイル４ｂに印加させる。加えて、制御部２１Ｃは、監視部２４によって交流電源１０の電圧があらかじめ決められた値より低いことが監視された場合に第１電圧をリレーコイル４ｂに印加させる。例えば、制御部２１Ｃは、監視部２４によって交流電源１０の電圧があらかじめ決められた値より低いことが監視された場合に第２電圧ではなく第１電圧をリレーコイル４ｂに印加させる。すなわち、空気調和機１Ａは、交流電源１０の電圧があらかじめ決められた値より低くなって接点４ａがオフしても、交流電源１０の電圧があらかじめ決められた値以上になると接点４ａをオンし、ユーザの操作を必要とすることなく運転を再開することができる。加えて、空気調和機１Ａは、リレーコイル４ｂの消費電力を低減することができる。
【００５３】
制御部２１Ｃ及び監視部２４の一方又は双方は、室内機２Ａの外部に設けられてもよい。
【００５４】
制御部２１Ｃ及び監視部２４を構成する少なくとも一部の構成要素は、図４を用いて説明した処理回路４１と同等の処理回路によって実現されてもよい。制御部２１Ｃ及び監視部２４の少なくとも一部の機能は、図５を用いて説明したプロセッサ５２と同様にプロセッサによって実現されてもよい。
【００５５】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００５６】
１，１Ａ  空気調和機、２，２Ａ  室内機、３  室外機、４  リレー回路、４ａ  接点、４ｂ  リレーコイル、４ｐ，４ｑ，４ｘ  端部、５  第１のトランジスタ、５Ｂ，７Ｂ  ベース、５Ｃ，７Ｃ  コレクタ、５Ｅ，７Ｅ  エミッタ、６  抵抗、７  第２のトランジスタ、１０  交流電源、１１  リレー回路を駆動させるための電源、２１，２１Ｃ  制御部、２１Ａ  第１制御ポート、２１Ｂ  第２制御ポート、２２  異常検出部、２３  報知部、２４  監視部、４１  処理回路、５１  メモリ、５２  プロセッサ。
【図１】
2018150521.tif 000003
【図２】
2018150521.tif 000004
【図３】
2018150521.tif 000005
【図４】
2018150521.tif 000006
【図５】
2018150521.tif 000007
【図６】
2018150521.tif 000008
【図７】
2018150521.tif 000009
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
室内機と、
室外機と、
接点及びリレーコイルを有するリレー回路と、
前記接点をオンさせるための動作電圧以上の第１電圧又は前記動作電圧より低くかつ前記接点がオンしている状態を保持させるための保持電圧以上の第２電圧を前記リレーコイルに印加させる制御部と、
前記室外機に異常が発生した場合に前記室外機に異常が発生したことを検出する異常検出部とを備え、
前記室内機は、前記異常検出部によって前記室外機に異常が発生したことが検出された場合に前記室外機に異常が発生したことを報知する報知部を有し、
前記接点の二つの端部のうちの一方の端部は交流電源に接続されていて、前記接点の二つの端部のうちの他方の端部は前記室外機に接続されており、
前記リレーコイルの二つの端部のうちの一方の端部は、前記リレー回路を駆動させるための電源に接続されており、
前記制御部は、前記接点のオンの開始時に前記第１電圧を前記リレーコイルに印加させ、前記接点がオンした後に前記第２電圧を前記リレーコイルに印加させると共に、前記異常検出部によって前記異常が発生したことが検出された場合に前記異常が発生したことが検出された時から前記報知部によって前記異常が発生したことが報知される時までに前記第１電圧を前記リレーコイルに印加させる
ことを特徴とする空気調和機。
【請求項２】
前記異常検出部は、前記室内機と前記室外機との通信に異常が発生した場合に前記通信の異常が発生したことを検出し、
前記制御部は、前記異常検出部によって前記通信の異常が発生したことが検出された場合に前記第１電圧を前記リレーコイルに印加させる
ことを特徴とする請求項１に記載の空気調和機。
【請求項３】
前記交流電源の電圧を監視する監視部を更に備え、
前記制御部は、前記監視部によって前記交流電源の電圧があらかじめ決められた値より低いことが監視された場合に前記第１電圧を前記リレーコイルに印加させる
ことを特徴とする請求項１に記載の空気調和機。
【手続補正２】
【補正対象書類名】明細書
【補正対象項目名】０００５
【補正方法】変更
【補正の内容】
【０００５】
本発明は、上記に鑑みてなされたものであって、リレーコイルに印加される電圧が保持電圧である場合に室外機に異常が発生して接点が遮断しても、ユーザの操作を必要とすることなく、かつユーザに当該異常を報知することなく運転を再開することができる空気調和機を得ることを目的とする。
【手続補正３】
【補正対象書類名】明細書
【補正対象項目名】０００６
【補正方法】変更
【補正の内容】
【０００６】
上述した課題を解決し、目的を達成するために、本発明に係る空気調和機は、室内機と、室外機と、接点及びリレーコイルを含むリレー回路と、前記接点をオンさせるための動作電圧以上の第１電圧又は前記動作電圧より低くかつ前記接点がオンしている状態を保持させるための保持電圧以上の第２電圧を前記リレーコイルに印加させる制御部と、前記室外機に異常が発生した場合に前記室外機に異常が発生したことを検出する異常検出部とを有する。前記室内機は、前記異常検出部によって前記室外機に異常が発生したことが検出された場合に前記室外機に異常が発生したことを報知する報知部を有する。前記接点の二つの端部のうちの一方の端部は交流電源に接続されていて、前記接点の二つの端部のうちの他方の端部は前記室外機に接続されている。前記リレーコイルの二つの端部のうちの一方の端部は、前記リレー回路を駆動させるための電源に接続されている。前記制御部は、前記接点のオンの開始時に前記第１電圧を前記リレーコイルに印加させ、前記接点がオンした後に前記第２電圧を前記リレーコイルに印加させると共に、前記異常検出部によって前記異常が発生したことが検出された場合に前記異常が発生したことが検出された時から前記報知部によって前記異常が発生したことが報知される時までに前記第１電圧を前記リレーコイルに印加させる。
【手続補正４】
【補正対象書類名】明細書
【補正対象項目名】０００７
【補正方法】変更
【補正の内容】
【０００７】
本発明に係る空気調和機は、リレーコイルに印加される電圧が保持電圧である場合に室外機に異常が発生して接点が遮断しても、ユーザの操作を必要とすることなく、かつユーザに当該異常を報知することなく運転を再開することができるという効果を奏する。
【国際調査報告】
2018150521.tif 000010
2018150521.tif 000011
2018150521.tif 000012
2018150521.tif 000013
2018150521.tif 000014
2018150521.tif 000015
2018150521.tif 000016
2018150521.tif 000017
2018150521.tif 000018
2018150521.tif 000019